(57)【要約】【課題】遊技者の特定遊技状態になるための入賞条件への介入による遊技者のパチンコ遊技機のゲームへの参加を可能にして、ゲームへの参加感を満たすとともに、前記特定遊技状態への入賞時の歓びおよび満足感を増大させること。【解決手段】始動口１に入賞した後における入賞装置２の開閉式入賞口２０の開放状態に通過した遊技球が、前記入賞装置２内に設けられた複数の入賞口２１、２２、２３のうち特定の入賞口に入賞することにより特定遊技状態になるパチンコ遊技機において、遊技者によって前記複数の入賞口２１、２２、２３のうち前記特定遊技状態になる特定の入賞口が選択される選択手段３を備えており、選択された前記特定の入賞口に遊技球が入賞すると前記特定遊技状態としての大当り状態になるパチンコ遊技機。【選択図】　　　　図１
2004033642.tif 000002
【特許請求の範囲】
【請求項１】
始動口に入賞した後における入賞装置の開閉式入賞口の開放状態に通過した遊技球が、前記入賞装置内に設けられた複数の入賞口のうち特定の入賞口に入賞することにより特定遊技状態になるパチンコ遊技機において、
遊技者によって前記複数の入賞口のうち前記特定遊技状態になる特定の入賞口が選択される選択手段を備えている
ことを特徴とするパチンコ遊技機。
【請求項２】
請求項１において、
前記選択手段における前記特定遊技状態になる特定の入賞口の選択を可能にする選択可能期間が設定され、該選択可能期間以外の選択が制限される
ことを特徴とするパチンコ遊技機。
【請求項３】
請求項１において、
前記遊技者によって前記選択手段を介して選択されている前記特定の入賞口を表示する表示手段を備えている
ことを特徴とするパチンコ遊技機。
【請求項４】
請求項１において、
前記各入賞口に入賞した遊技球の個数を検知する検知手段を備え、各入賞口への遊技球の入賞数を表示する入賞数表示手段を備えている
ことを特徴とするパチンコ遊技機。
【請求項５】
請求項４において、
前記各入賞口における大当り回数を表示する大当り回数表示手段を備えていることを特徴とするパチンコ遊技機。
【請求項６】
請求項１において、
前記入賞装置の前記開閉式入賞口を通過した遊技球を停留させ、停留期間経過後停留されていた遊技球を前記複数の入賞口のいずれかに落下させる停留装置を備え、前記選択手段における前記選択可能期間が、前記停留装置における前記遊技球が停留される停留期間である
ことを特徴とするパチンコ遊技機。
【発明の詳細な説明】
【０００１】
【発明の属する技術分野】
本発明は、始動口に入賞した後における入賞装置の開閉式入賞口の開放状態に通過した遊技球が、前記入賞装置内に設けられた複数の入賞口のうち特定の入賞口に入賞することにより特定遊技状態になるパチンコ遊技機において、遊技者が前記特定遊技状態になる特定の入賞口を選択することにより、遊技者のパチンコ遊技機のゲームへの参加を可能にするパチンコ遊技機に関する。
【０００２】
【従来の技術】
従来のパチンコ遊技機は、始動口に入賞した後入賞口が開放状態にある時において、入賞装置内に設けられた複数の入賞口のうち予め定められた特定の入賞口に遊技球が入賞することにより、大当りその他の特定遊技状態になるものであった。
【０００３】
また従来のパチンコ遊技機（特開２０００−６１０６５号）は、図１０に示されるように遊技盤に設けた始動口Ｓに打球が入球すると図柄表示部Ｄの図柄を変動表示し、一定時間後にその図柄が予め定められた図柄に揃うと大当り入賞状態となり遊技盤に設けた開閉式入賞口Ｋを一定時間または一定個数の打球が入るまで開放する構成のパチンコ遊技機であって、前記開閉式入賞口内の遊技者が選択した継続入賞口Ｃの一つに打球が入球したときに前記開閉式入賞口Ｋを再び一定時間または一定個数の打球が入るまで開放するもので、いわゆる前記開閉式入賞口Ｋの開放状態を延長するものであった。
【０００４】
【発明が解決しようとする課題】
従来のパチンコ遊技機は、始動口に入賞した後入賞口が開放状態にある時において、入賞装置内に設けられた複数の入賞口のうち予め定められた特定の入賞口に遊技球が入賞することにより、大当りその他の特定遊技状態になるものであるので、パチンコ遊技機において予め定められた特定の入賞口への遊技球の入賞により、大当りその他の特定遊技状態になるものであるため、遊技者の遊技感は有るものの入賞条件への介入が無く、遊技者のパチンコ遊技機のゲームへの直接参加の認識が全く無いものであった。
【０００５】
また従来のパチンコ遊技機は、図１０に示されるように大当り入賞状態となり遊技盤に設けた開閉式入賞口Ｋを一定時間または一定個数の打球が入るまで開放される大当り状態において、前記開閉式入賞口Ｋ内の遊技者が選択した継続入賞口Ｃの一つに打球が入球したときに前記開閉式入賞口Ｋを再び一定時間または一定個数の打球が入るまで開放するもので、いわゆる前記開閉式入賞口Ｋの開放状態を延長するものであるので、遊技者のゲームへの参加感はある程度有るものの最初の大当り入賞条件への介入が無いため、遊技者のパチンコ遊技機のゲームへの直接参加の認識は必ずしも充分とは言えないものであった。
【０００６】
そこで本発明者は、始動口に入賞した後における入賞装置の開閉式入賞口の開放状態に通過した遊技球が、前記入賞装置内に設けられた複数の入賞口のうち特定の入賞口に入賞することにより特定遊技状態になるパチンコ遊技機において、遊技者によって前記複数の入賞口のうち前記特定遊技状態になる特定の入賞口が選択されるという本発明の技術的思想に着眼し、更に研究開発を重ねた結果、遊技者の前記特定遊技状態になるための入賞条件への介入による遊技者のパチンコ遊技機のゲームへの参加を可能にして、ゲームへの参加感を満たすとともに、前記特定遊技状態への入賞時の歓びおよび満足感を増大させるという目的を達成する本発明に到達した。
【０００７】
【課題を解決するための手段】
本発明（請求項１に記載の第１発明）のパチンコ遊技機は、
始動口に入賞した後における入賞装置の開閉式入賞口の開放状態に通過した遊技球が、前記入賞装置内に設けられた複数の入賞口のうち特定の入賞口に入賞することにより特定遊技状態になるパチンコ遊技機において、
遊技者によって前記複数の入賞口のうち前記特定遊技状態になる特定の入賞口が選択される選択手段を備えている
ものである。
【０００８】
本発明（請求項２に記載の第２発明）のパチンコ遊技機は、
前記第１発明において、
前記選択手段における前記特定遊技状態になる特定の入賞口の選択を可能にする選択可能期間が設定され、該選択可能期間以外の選択が制限される
ものである。
【０００９】
本発明（請求項３に記載の第３発明）のパチンコ遊技機は、
前記第１発明において、
前記遊技者によって前記選択手段を介して選択されている前記特定の入賞口を表示する表示手段を備えている
ものである。
【００１０】
本発明（請求項４に記載の第４発明）のパチンコ遊技機は、
前記第１発明において、
前記各入賞口に入賞した遊技球の個数を検知する検知手段を備え、各入賞口への遊技球の入賞数を表示する入賞数表示手段を備えている
ものである。
【００１１】
本発明（請求項５に記載の第５発明）のパチンコ遊技機は、
前記第４発明において、
前記各入賞口における大当り回数を表示する大当り回数表示手段を備えているものである。
【００１２】
本発明（請求項６に記載の第６発明）のパチンコ遊技機は、
前記第１発明において、
前記入賞装置の前記開閉式入賞口を通過した遊技球を停留させ、停留期間経過後停留されていた遊技球を前記複数の入賞口のいずれかに落下させる停留装置を備え、前記選択手段における前記選択可能期間が、前記停留装置における前記遊技球が停留される停留期間である
ものである。
【００１３】
【発明の作用および効果】
上記構成より成る第１発明のパチンコ遊技機は、始動口に入賞した後における入賞装置の開閉式入賞口の開放状態に通過した遊技球が、前記入賞装置内に設けられた複数の入賞口のうち特定の入賞口に入賞することにより特定遊技状態になるパチンコ遊技機において、遊技者が前記選択手段によって前記複数の入賞口のうち選択された前記特定の入賞口に遊技球が入賞すると、前記特定遊技状態になるので、遊技者の入賞条件への介入による遊技者のパチンコ遊技機のゲームへの参加を可能にして、ゲームへの参加感を満たすとともに、自己の選択に基づく前記特定遊技状態における出玉に対する歓びおよび満足感を増大させるという効果を奏する。
【００１４】
上記構成より成る第２発明のパチンコ遊技機は、前記第１発明において、前記選択手段における前記特定遊技状態になる特定の入賞口の選択を可能にする選択可能期間が設定され、該選択可能期間以外の選択が制限されるので、前記選択可能期間内において前記特定遊技状態になる特定の入賞口の選択を行うという時間的制約の中における選択が要求されるため、緊張感の有るゲーム展開を楽しむことが出来るという効果を奏する。
【００１５】
上記構成より成る第３発明のパチンコ遊技機は、前記第１発明において、前記遊技者によって前記選択手段を介して選択された前記特定の入賞口が、前記表示手段によって表示されているので、選択されている前記特定の入賞口の確認を容易にするという効果を奏する。
【００１６】
上記構成より成る第４発明のパチンコ遊技機は、前記第１発明において、前記検知手段が前記各入賞口に入賞した遊技球の個数を検知するとともに、前記入賞数表示手段が、前記入賞装置内に設けられた各入賞口への遊技球の入賞数を表示するので、表示された各入賞口への遊技球の入賞数を考慮した前記特定の入賞口の選択を可能にして、ゲームへの参加感を向上するという効果を奏する。
【００１７】
上記構成より成る第５発明のパチンコ遊技機は、前記第４発明において、前記大当り回数表示手段が、前記各入賞口における大当り回数を表示するので、表示された前記各入賞口における大当り回数を考慮した前記特定の入賞口の選択を可能にして、大当りへの期待感を向上するという効果を奏する。
【００１８】
上記構成より成る第６発明のパチンコ遊技機は、前記第１発明において、前記停留装置が、前記入賞装置の前記開閉式入賞口を通過した遊技球を停留させ、停留期間経過後停留されていた遊技球を前記複数の入賞口のいずれかに落下させるものであるので、前記停留装置によって前記入賞装置の入口を通過した遊技球を停留期間の間停留させた後落下させるものであるので、遊技球が停留される停留期間の後前記特定の入賞口に落下されるかどうかの期待感を熟成するという効果を奏するとともに、前記選択手段における前記選択可能期間が、前記停留装置における前記遊技球が停留される停留期間であるので、遊技球が停留され前記特定の入賞口に落下されるかどうかの期待感を熟成される前記停留期間の間にタイムリーに前記特定の入賞口を選択する必要があるため、ゲームへの参加感を向上するとともに、自己の選択に基づく前記特定遊技状態への入賞時の出玉に対する歓びおよび満足感を一層増大させるという効果を奏する。
【００１９】
【発明の実施の形態】
以下本発明の実施の形態につき、図面を用いて説明する。
【００２０】
（第１実施形態）
本第１実施形態のパチンコ遊技機は、図１ないし図４に示されるように始動口１に入賞した後における入賞装置２の開閉式入賞口２０の開放状態に通過した遊技球が、前記入賞装置２内に設けられた複数の入賞口２１、２２、２３のうち特定の入賞口に入賞することにより特定遊技状態になるパチンコ遊技機において、遊技者によって前記複数の入賞口２１、２２、２３のうち前記特定遊技状態になる特定の入賞口が選択される選択手段３を備えており、選択された前記特定の入賞口に遊技球が入賞すると前記特定遊技状態としての大当り状態になるものである。
【００２１】
本第１実施形態のパチンコ遊技機は、一例として本発明を第２種パチンコ遊技機に適用したものである。
【００２２】
前記始動口１は、遊技盤下部の左右に配設され、入賞すると前記入賞装置２の開閉式入賞口２０が１回開閉する左右始動口１１と、遊技盤下部の中央に配設され、入賞すると前記入賞装置２の開閉式入賞口２０が２回開閉する中央始動口１２とから成る。
【００２３】
前記入賞装置２は、遊技盤のほぼ中央上部寄りに配設され、揺動することにより前記開閉式入賞口２０を開閉する左右の揺動羽根部材２０１と、該開閉式入賞口２０を通過した遊技球を下部のクルーン２４に一例として接線的に案内する案内路２５とを備えている。
【００２４】
また前記入賞装置２は、内部に３個の入賞口が１２０度毎に穿設形成された可動部材としての円形のクルーン２４が回転自在に配設され、該クルーン２４は、前記始動口１に入賞した後前記開閉式入賞口２０が開放状態にある時にモータのような回転駆動機構によって一定速度で回転するように構成されている。
【００２５】
検知手段５が、前記開閉式入賞口２０の下流に配置され、前記開閉式入賞口２０を通過した遊技球の入賞を検知する入賞検知手段５１と、前記クルーン２４に形成された前記各入賞口２１、２２、２３に配設され、該各入賞口に入賞した遊技球の個数である入賞数を検知する入賞数検知手段５２とから成る。
【００２６】
入賞数表示手段６１、６２、６３が、前記入賞装置２内または遊技盤の前面の上部その他の一部に配設され、前記クルーン２４に形成された前記各入賞口２１、２２、２３への遊技球の入賞数をそれぞれ３桁ディジタル表示するように構成されている。
【００２７】
大当り回数表示手段６４、６５、６６が、前記入賞装置２内または遊技盤の前面の上部その他の一部に配設され、前記各入賞口における大当り回数を３桁ディジタル表示するように構成されている。
【００２８】
前記選択手段３は、前記選択手段における前記特定遊技状態になる特定の入賞口の選択を可能にするために設定された選択可能期間としての前記入賞検知手段５１によって遊技球の入賞を検知するまでの遊技者によるボタン操作によって前記入賞装置内における複数の入賞口の位置を変更することにより、特定の入賞口が選択されるコントローラ３３および入賞口位置変更手段３０によって構成されている。
【００２９】
前記選択手段３が、パチンコ遊技機の前面に２個並設されたプッシュボタンによって構成され、左側のプッシュボタン３１は、遊技者によって押された回数によって前記複数の入賞口のうち前記特定遊技状態になる特定の入賞口が切り替え選択される切替選択ボタンであり、右側のプッシュボタン３２は、遊技者によって切り替え選択された特定の入賞口を確定する確定ボタンである。
【００３０】
前記左側のプッシュボタン３１が、遊技者によって１回押される度に前記コントローラ３３からの出力パルスによって、３個の入賞口が形成され前記入賞装置内に回転自在に配設されたクルーン２４が出力パルスのパルス数に応じた回転角が得られるステッピングモータのような回転駆動機構を介して１２０度ずつ回転させ、押された回数によって前記複数の入賞口のうち前記特定遊技状態になる特定の入賞口が一つずつ切り替えられ選択されるように構成されている。
【００３１】
選択入賞口表示手段４は、前記クルーン２４に形成され３個の入賞口２１、２２、２３の回りに環状の穴が形成され、該環状の穴に配設された光源としてのフォトダイオードその他の発光手段が列設された発光装置によって構成され、前記遊技者によって前記選択手段３を介して選択されている前記特定の入賞口の周囲を点灯表示するように構成されている。
【００３２】
上記構成より成る本第１実施形態のパチンコ遊技機においては、前記入賞装置２内または遊技盤の前面の上部その他の一部に配設された前記入賞数表示手段６１、６２、６３の３桁ディジタル表示による前記クルーン２４に形成された前記各入賞口２１、２２、２３への遊技球の入賞数と、前記大当り回数表示手段６４、６５、６６の３桁ディジタル表示による前記各入賞口における大当り回数に基づき、パチンコ遊技機の前面の中央右側に２個並設された前記選択手段３を構成するプッシュボタン３１、３２によって、選択期間としての前記入賞装置２の開閉式入賞口２０が開くまでに前記特定遊技状態になる特定の入賞口が選択される。
【００３３】
すなわち遊技者によって、前記左側のプッシュボタン３１が１回押される度に３個の入賞口が形成され前記入賞装置内に回転自在に配設されたクルーン２４がステッピングモータのような回転駆動機構を介して１２０度ずつ回転して、押された回数によって前記複数の入賞口のうち前記特定遊技状態になる特定の入賞口が一つずつ切り替えられ選択される。
【００３４】
遊技球が、前記遊技盤下部の左右に配設された前記始動口１としての前記左右始動口１１に入賞すると前記入賞装置２の開閉式入賞口２０が１回開閉するとともに、遊技盤下部の中央に配設された前記始動口１としての前記入賞装置２の前記中央始動口１２に入賞すると前記開閉式入賞口２０が２回開閉する。
【００３５】
前記入賞装置２の開閉式入賞口２０が１回または２回開閉するということは、遊技盤のほぼ中央上部寄りに配設された前記入賞装置２の前記開閉式入賞口２０を開閉する左右の揺動羽根部材２０１が、１回または２回揺動することにより、前記遊技球Ｂが、揺動した左右の揺動羽根部材２０１の上面によってガイドされ、前記開閉式入賞口２０を通過させ、通過した前記遊技球Ｂが、前記案内路２５によって接線的に案内され、一定速度で回転している下部のクルーン２４に案内される。
【００３６】
前記クルーン２４に案内された前記遊技球が、前記遊技者によって前記選択手段３を介して選択されている前記選択入賞口表示手段４により周囲を環状に点灯表示する前記特定の入賞口に入賞すると、前記特定遊技状態としての大当り遊技状態となり、前記入賞装置２の開閉式入賞口２０が、一定時間または一定個数通過するまで開放状態または開閉状態が維持され、かかる状態において前記入賞装置２に入賞した遊技球の数に応じて出玉が排出される。
【００３７】
上記作用を奏する本第１実施形態のパチンコ遊技機は、前記始動口１に入賞した後における前記入賞装置２の前記開閉式入賞口２０が開放状態にある時に通過した遊技球が、前記入賞装置２内に設けられた複数の入賞口のうち特定の入賞口に入賞することにより特定遊技状態になるパチンコ遊技機において、遊技者が前記選択手段３によって前記複数の入賞口２１、２２、２３のうち選択した前記特定の入賞口に遊技球が入賞すると、前記特定遊技状態としての大当り遊技状態になるので、遊技者の前記特定遊技状態になる入賞条件への介入による遊技者のパチンコ遊技機のゲームへの参加を可能にして、ゲームへの参加感を満たすとともに、自己の選択に基づく前記特定遊技状態における出玉に対する歓びおよび満足感を増大させるという効果を奏する。
【００３８】
すなわち本第１実施形態のパチンコ遊技機は、遊技者が前記選択手段３によって選択した前記特定の入賞口に遊技球が入賞することにより、最初の大当り遊技状態を得るものであって、遊技者の入賞条件への介入による最初の大当り遊技状態を得るものであり、遊技者のパチンコ遊技機のゲームへの直接的参加を可能にして、ゲームへの参加感を満たすとともに、自己の選択に基づく前記特定遊技状態における出玉に対する歓びおよび満足感を増大させるものである。
【００３９】
また本第１実施形態のパチンコ遊技機は、前記入賞数表示手段６１、６２、６３が、前記入賞装置２内に設けられた各入賞口２１、２２、２３への遊技球の入賞数を表示するので、表示された各入賞口への遊技球の入賞数の大小または割合を考慮した前記特定の入賞口の選択を可能にして、ゲームへの参加感を向上するという効果を奏する。
【００４０】
さらに本第１実施形態のパチンコ遊技機は、前記大当り回数表示手段６４、６５、６６が、前記各入賞口２１、２２、２３における大当り回数を表示するので、表示された前記各入賞口における大当り回数を考慮した前記特定の入賞口の選択を可能にして、大当りへの期待感を向上するという効果を奏する。
【００４１】
すなわち本第１実施形態のパチンコ遊技機は、複数の入賞口２１、２２、２３の各々に通過個数を報知する部材を設け前記入賞数表示手段６１、６２、６３によって表示したので、その数値の多寡が、遊技者がどの入賞口を選択するかの判断基準となり、遊技者に推理する楽しみを提供し、推測しながら興趣に富んだ遊技を楽しむことが可能となるとともに、推測が的中して大当り状態となった時には結果としての出玉に対して推測による自己の貢献が加算され、歓びが増幅される。
【００４２】
また本第１実施形態のパチンコ遊技機は、前記選択手段３が、パチンコ遊技機の前面に配設された上述の選択確定の２個のプッシュボタンによって構成され、遊技者によって前記プッシュボタンが押された回数によって前記複数の入賞口のうち前記特定遊技状態になる特定の入賞口が選択されるので、前記選択手段をシンプルにして、前記プッシュボタンの押し間違いの問題を解消することが出来るという効果を奏する。また上記確定ボタンを省略すれば１個のプッシュボタンとしてさらにシンプルにすることが出来る。
【００４３】
さらに本第１実施形態のパチンコ遊技機は、前記選択手段３における前記特定遊技状態になる特定の入賞口の選択を可能にする前記入賞装置２の開閉式入賞口２０が開くまでの選択可能期間が設定され、該選択可能期間以外の選択が制限されるので、前記選択可能期間内において前記特定遊技状態になる特定の入賞口の選択を行うという時間的制約の中における選択が要求されるため、緊張感の有るゲーム展開を楽しむことが出来るという効果を奏する。
【００４４】
（第２実施形態）
本第２実施形態のパチンコ遊技機は、図５に示されるように本発明を図柄表示部７を備えたパチンコ遊技機に適用して、選択された特定の入賞口に遊技球が入賞することにより成る特定遊技状態が、確率変動を付与する大当りである点が、前記第１実施形態との相違点であり、以下相違点を中心に説明する。
【００４５】
前記図柄表示部７は、図５に示されるように遊技盤の中央上部に配設されているとともに、前記第１実施形態と同様の入賞装置２が遊技盤の中央下部に配設されている。
【００４６】
本第２実施形態においては、始動口１に入賞した後前記図柄表示部７の図柄７１、７２、７３が揃った時に前記入賞装置２の開閉式入賞口２０を閉じていた揺動部材２６が前方に揺動して前記開閉式入賞口２０が一定期間開放状態にされるので、開閉式入賞口２０が開放状態になるまでの間に前記選択手段３としてのパチンコ遊技機の前面に２個並設されたプッシュボタンによって特定の入賞口が選択されるように構成されている。
【００４７】
選択手段３は、前記選択手段における前記特定遊技状態になる特定の入賞口の選択を可能にするために設定された選択可能期間としての前記入賞検知手段５１によって遊技球の入賞を検知するまでにおける遊技者による操作によって、前記入賞装置内における複数の入賞口２１、２２、２３のうち選択された特定の入賞口として表示される入賞口表示変更手段３４によって構成されている。
【００４８】
前記選択手段３が、パチンコ遊技機の前面に２個並設されたプッシュボタンによって構成され、左側のプッシュボタン３１は、遊技者によって押された回数によって前記複数の入賞口のうち前記特定遊技状態になる特定の入賞口が切り替え選択される切替選択ボタンであり、右側のプッシュボタン３２は、遊技者によって切り替え選択された特定の入賞口を確定する確定ボタンである。
【００４９】
前記選択手段３は、図６に示されるように前記左側のプッシュボタン３１が、遊技者によって１回押される度に前記入賞装置内に回転自在に配設されたクルーン２４に形成された３個の入賞口のうち選択された特定の入賞口としての点灯表示が切り替わり、押された回数によって前記複数の入賞口のうち前記特定遊技状態になる特定の入賞口が一つずつ切り替えられ選択されるとともに点灯表示されるように構成されており、すなわち後述する選択入賞口表示手段の前記入賞口表示変更手段３４としての切換スイッチのような表示切り替え手段によって構成され、選択された入賞口の表示が切り替えられることにより、入賞口が電気的に選択され、該電気的に選択された入賞口に遊技球が入賞すると特定遊技状態になるように構成されている。
【００５０】
選択入賞口表示手段４は、図６に示されるように前記クルーン２４に形成され３個の入賞口２１、２２、２３の回りに複数の小孔が形成され、各小孔に配設された点光源としてのフォトダイオードその他の発光手段によって構成され、前記遊技者によって前記選択手段３を介して選択されている前記特定の入賞口を点灯または点滅表示するように構成されている。
【００５１】
停留装置８は、前記入賞装置２の前記開閉式入賞口２０を通過した遊技球を一定時間の停留期間だけ停留させ、該停留期間が経過した後停留されていた遊技球を落下させ、落下した遊技球がクルーン２４に形成された前記複数の入賞口のいずれかに入賞するように構成されている。
【００５２】
上記構成より成る本第２実施形態のパチンコ遊技機は、前記始動口１に入賞した後前記図柄表示部７の図柄７１、７２、７３が揃った時に一定期間開放状態にされた前記入賞装置２の前記開閉式入賞口２０を通過した遊技球が、前記停留装置８によって、一定時間の停留期間だけ停留され、該停留期間が経過した後前記停留装置から落下した遊技球が、クルーン２４に形成された前記複数の入賞口のうちの前記特定の入賞口に入賞すると確率変動が付与された大当り状態となり、その他の２個の入賞口に入賞した場合は通常の確率変動が付与されない大当り状態となる。また２個の入賞口のうちの一つに入賞した場合は外れとすることも出来る。
【００５３】
すなわち前記特定の入賞口は、遊技者によって前記開閉式入賞口２０が開放状態になるまでの間に前記選択手段３としてのパチンコ遊技機の前面に２個並設されたプッシュボタンにより前記複数の入賞口のうちから選択された周囲が多数の点光源によって点灯または点滅表示された一つの入賞口であり、該特定の入賞口に入賞すると確率変動が付与された大当り状態となる。
【００５４】
上記作用を奏する本第２実施形態のパチンコ遊技機は、前記始動口１に入賞した後前記図柄表示部７の図柄７１、７２、７３が揃った時に前記開閉式入賞口２０が一定期間開放状態にされ、通過した遊技球が、遊技者が前記選択手段３によって前記複数の入賞口２１、２２、２３のうち選択された前記特定の入賞口に入賞すると、前記特定遊技状態としての確率変動が付与された大当り遊技状態になるので、遊技者の前記特定遊技状態となる入賞条件への介入による遊技者のパチンコ遊技機のゲームへの参加を可能にして、ゲームへの参加感を満たすとともに、自己の選択に基づく前記特定遊技状態における出玉に対する歓びおよび満足感を増大させるという効果を奏する。
【００５５】
また本第２実施形態のパチンコ遊技機は、前記特定遊技状態が、確率変動が付与される大当り状態となることであるので、前記複数の入賞口のうち選択された前記特定の入賞口に遊技球が入賞すると、前記確率変動が付与される大当りとなるため、遊技者の入賞条件への介入による遊技者のパチンコ遊技機のゲームへの参加を可能にして、ゲームへの参加感を満たすとともに、前記確率変動に応じた出玉の増加により歓びおよび満足感を増大させるという効果を奏する。
【００５６】
さらに本第２実施形態のパチンコ遊技機は、前記停留装置８が、前記入賞装置の前記開閉式入賞口を通過した遊技球を停留させ、停留期間経過後停留されていた遊技球を前記複数の入賞口のいずれかに落下させるものであるので、遊技球が前記停留装置８によって停留期間停留される間に、前記遊技球が前記特定の入賞口に落下されるかどうかの期待感が熟成されるという効果を奏する。
【００５７】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００５８】
上述の実施形態においては、一例として大当り状態が、前記入賞装置の前記開閉式入賞口が開放状態になることである例について説明したが、本発明としてはそれらに限定されるものでは無く、例えば大当り状態として、図５に示される部材７４、７４０、７４１によって構成されるチューリップ部材（７４１）を一定期間または遊技球の一定個数だけ開放状態にする、または開閉を繰り返すようにする実施形態を採用することが出来るものである。
【００５９】
上述の実施形態においては、一例とし前記入賞装置の前記開閉式入賞口が開放状態にある時にはクルーン２４が一定回転で回転する例について説明したが、本発明としてはそれらに限定されるものでは無く、例えばクルーン２４をランダムな速度で回転している実施形態を採用しても良く、またクルーン２４が静止している実施形態を採用しても良く、また図７に示される前記入賞装置２内において直線往復運動する直線往復運動部材２４１に複数の入賞口２１、２２、２３を列設する実施形態を採用することも出来る。
【００６０】
上述の実施形態においては、一例として前記入賞装置２の前記開閉式入賞口２０を開閉する部材として一点を支点として揺動する揺動部材を配設する例に付いて説明したが、本発明としてはそれらに限定されるものでは無く、例えば図８に示されるように前記入賞装置２の前記開閉式入賞口２０を開閉する直線往復運動する１対の直線開閉部材２０２によって開閉する実施形態を採用することも出来る。
【００６１】
上述の実施形態においては、一例として前記入賞装置の前記開閉式入賞口が開放状態にある時にはクルーン２４が前記入賞装置内の定位置で回転する例について説明したが、本発明としてはそれらに限定されるものでは無く、例えば図９に示されるように上面に回転するクルーン２４が形成された上下動する筒状部材２４２に対向する入賞装置の内周面に螺旋通路２５１を形成し、前記筒状部材２４２の上下方向における位置が変化することによって螺旋通路２５１から該螺旋通路２５１内に突出して形成された前記筒状部材２４２の突出部２４３を介して前記筒状部材２４２の上面の前記クルーン２４に移行する上下方向の位置を変えることにより、前記開閉式入賞口を通過してから前記螺旋通路２５１から前記クルーン２４に移行する時刻を変える滞留時間を可変とする滞留時間可変装置を構成するとともに、前記クルーン２４に移行するクルーンの円周方向の位置を変える移行位置可変機構を構成して、前記開閉式入賞口を通過した遊技球Ｂがどの入賞口２１、２２、２３に入賞するかの予測を困難にして高度の習熟を要求して厭きのこない実施形態を採用することが出来る。前記筒状部材２４２の上下方向における位置の変化をランダムにすることにより一層厭きのこない実施形態を採用することが出来る。
【００６２】
上述の実施形態においては、一例として開閉式入賞口２０を通過した遊技球を案内路２５によって下部のクルーン２４に接線的に案内する例について説明したが、本発明としてはそれらに限定されるものでは無く、開閉式入賞口２０を通過した遊技球を接線的に案内することなく直接クルーン２４に落下させる実施形態を採用することが出来る。
【図面の簡単な説明】
【図１】本発明の第１実施形態のパチンコ遊技機の全体を示す正面図である。
【図２】本第１実施形態のパチンコ遊技機における遊技盤を示す部分正面図である。
【図３】本第１実施形態のパチンコ遊技機における入賞装置内のクルーンを示す部分平面図である。
【図４】本第１実施形態のパチンコ遊技機における入賞装置内のクルーンに形成された各入賞口の入賞数および大当り数を表示する表示装置を説明するための説明図である。
【図５】本発明の第２実施形態のパチンコ遊技機における遊技盤を示す部分正面図である。
【図６】本第２実施形態のパチンコ遊技機における入賞装置内のクルーンに形成された各入賞口の選択および表示の切り替えを説明するための説明図である。
【図７】本発明のその他の実施形態のパチンコ遊技機における要部の直線往復運動部材を示す斜視図である。
【図８】本発明のその他の実施形態のパチンコ遊技機における要部の直線開閉部材を示す部分拡大図である。
【図９】本発明のその他の実施形態のパチンコ遊技機における要部の螺旋通路および筒状部材を示す部分拡大斜視図である。
【図１０】従来のパチンコ遊技機を示す正面図である。
【符号の説明】
１　始動口
２　入賞装置
２０　開閉式入賞口
２１、２２、２３　入賞口
３　選択手段
【図１】
2004033642.tif 000003
【図２】
2004033642.tif 000004
【図３】
2004033642.tif 000005
【図４】
2004033642.tif 000006
【図５】
2004033642.tif 000007
【図６】
2004033642.tif 000008
【図７】
2004033642.tif 000009
【図８】
2004033642.tif 000010
【図９】
2004033642.tif 000011
【図１０】
2004033642.tif 000012